(57)【特許請求の範囲】
【請求項１】
キャビネット等の本体ケースの背面に連結した中空状の背面パネル装置における左右両側面のうちいずれか一方または両方に、間仕切パネル装置を連設してなるパネル装置であって、
前記背面パネル装置は、前記本体ケースの背面に連結する左右一対の支柱と、該一対の支柱間の前面側であって前記本体ケースの天板より上方を覆うように前記一対の支柱に対して着脱自在な表パネル板と、前記一対の支柱間の背面側を覆うように前記一対の支柱に対して着脱自在な裏パネル板とにより構成され、
前記背面パネル装置の背面側の下端部には、背面パネル用巾木を着脱自在に装着し、前記本体ケースの背面と、前記背面パネル装置内と、前記背面パネル用巾木とで囲まれる空間を配線空間に形成する一方、
前記間仕切パネル装置の下端部には、表裏一対の間仕切パネル用巾木を着脱自在に装着して、前記配線空間と前記表裏一対の間仕切パネル用巾木との間に配線通路を形成したことを特徴とするパネル装置の配線構造。
【請求項２】
キャビネット等の本体ケースの背面に取り付く枠状の配線ダクトの背面に、中空状の背面パネル装置を連結し、該背面パネル装置における左右両側面のうちいずれか一方または両方に、間仕切パネル装置を連設してなるパネル装置であって、
前記本体ケースにおける天板と、前記配線ダクトにおける上面カバー板とを略同一平面状となるように揃え、
前記背面パネル装置は、前記配線ダクトの背面に連結する左右一対の支柱と、該一対の支柱間の前面側であって前記配線ダクトにおける上面カバー板より上方を覆うように前記一対の支柱に対して着脱自在な表パネル板と、前記一対の支柱間の背面側を覆うように前記一対の支柱に対して着脱自在な裏パネル板とにより構成され、
前記背面パネル装置の背面側の下端部には、背面パネル用巾木を着脱自在に装着し、前記本体ケースの背面と、前記配線ダクトと、前記背面パネル装置内と、前記背面パネル用巾木とで囲まれる空間を配線空間に形成する一方、
前記間仕切パネル装置の下端部には、表裏一対の間仕切パネル用巾木を着脱自在に装着し、
前記配線空間と前記表裏一対の間仕切パネル用巾木との間に配線通路を形成したことを特徴とするパネル装置の配線構造。
【請求項３】
前記配線ダクト体における左右両側板の上端部及び下端部には、当該配線ダクト体の配線空間から配線コードを引き出すためのコード挿通孔を穿設するとともに、当該各コード挿通孔を開閉するための蓋体を配設したことを特徴とする請求項２に記載のパネル装置における配線構造。
【請求項４】
前記背面パネル装置及び間仕切パネル装置は、前記本体ケースよりも高さを高く形成したことを特徴とする請求項１乃至請求項３に記載のパネル装置における配線構造。
【請求項５】
前記背面パネル装置の前面には、前記本体ケースより高い位置に配線コード引き出し部又はコンセントのいずれか一方もしくは双方を備えたことを特徴とする請求項１乃至請求項４に記載のパネル装置における配線構造。
【発明の詳細な説明】
【０００１】
【発明の属する技術分野】
本発明は、書類等の物品を収納する収納家具の背面側に形成する配線構造に関するものである。
【０００２】
【従来の技術】
最近のオフィス環境では、書類等の物品を収納するキャビネットの高さを低くして、このキャビネットの天板面に、プリンタ等のＯＡ機器や、その他の電気（電子）機器を配置し、前記キャビネットの背面に連結した中空状の背面パネル装置や中実状の間仕切パネル装置を、横並び状または平面視略直角状に連設する等して、室内を仕切るというレイアウトが考えられている。
【０００３】
このようなレイアウトを採用する場合には、前記電気機器に取り付く配線コードを体裁よく配線することが要求される。従来は、前記キャビネットの背面と、前記背面パネル装置内とで囲まれる空間を配線空間として利用していた（実公平３−３６２６４号公報等参照）。
【０００４】
また、前記キャビネットにおける本体ケースの下面に配置した中空状のベースの背面及び左右両側面には、コード挿通孔をそれぞれ穿設しており、前記配線空間に通した配線コードは、前記ベースの背面のコード挿通孔を通過して、前記ベースにおける一方の側面のコード挿通孔から外側に引出され、室に配設したコンセントに接続されていた。
【０００５】
【発明が解決しようとする課題】
しかし、前記従来の構成では、前記ベースにおける一方の側面のコード挿通孔と前記コンセントとの間の距離が大きいと、このコード挿通孔から外側に引出された配線コードは、前記コンセントに接続されるまで床面上を這うことになるから、体裁が悪い場合があり、また、人が床面上を這う配線コードに引っ掛かって転んだり、この配線コードが前記コンセントから抜けてしまったりするおそれがあった。
【０００６】
そこで、本発明は、このような現状を改善することを技術的課題とする。
【０００７】
【課題を解決するための手段】
この技術的課題を達成するため、請求項１の発明におけるパネル装置の配線構造は、キャビネット等の本体ケースの背面に連結した中空状の背面パネル装置における左右両側面のうちいずれか一方または両方に、間仕切パネル装置を連設してなるパネル装置であって、前記背面パネル装置は、前記本体ケースの背面に連結する左右一対の支柱と、該一対の支柱間の前面側であって前記本体ケースの天板より上方を覆うように前記一対の支柱に対して着脱自在な表パネル板と、前記一対の支柱間の背面側を覆うように前記一対の支柱に対して着脱自在な裏パネル板とにより構成され、前記背面パネル装置の背面側の下端部には、背面パネル用巾木を着脱自在に装着し、前記本体ケースの背面と、前記背面パネル装置内と、前記背面パネル用巾木とで囲まれる空間を配線空間に形成する一方、前記間仕切パネル装置の下端部には、表裏一対の間仕切パネル用巾木を着脱自在に装着して、前記配線空間と前記表裏一対の間仕切パネル用巾木との間に配線通路を形成したものである。
【０００８】
また、請求項２に記載の発明のパネル装置の配線構造は、キャビネット等の本体ケースの背面に取り付く枠状の配線ダクトの背面に、中空状の背面パネル装置を連結し、該背面パネル装置における左右両側面のうちいずれか一方または両方に、間仕切パネル装置を連設してなるパネル装置であって、前記本体ケースにおける天板と、前記配線ダクトにおける上面カバー板とを略同一平面状となるように揃え、前記背面パネル装置は、前記配線ダクトの背面に連結する左右一対の支柱と、該一対の支柱間の前面側であって前記配線ダクトにおける上面カバー板より上方を覆うように前記一対の支柱に対して着脱自在な表パネル板と、前記一対の支柱間の背面側を覆うように前記一対の支柱に対して着脱自在な裏パネル板とにより構成され、前記背面パネル装置の背面側の下端部には、背面パネル用巾木を着脱自在に装着し、前記本体ケースの背面と、前記配線ダクトと、前記背面パネル装置内と、前記背面パネル用巾木とで囲まれる空間を配線空間に形成する一方、前記間仕切パネル装置の下端部には、表裏一対の間仕切パネル用巾木を着脱自在に装着し、前記配線空間と前記表裏一対の間仕切パネル用巾木との間に配線通路を形成したものである。
【０００９】
そして、請求項３の発明は、請求項２に記載のパネル装置における配線構造において、前記配線ダクト体における左右両側板の上端部及び下端部には、この配線ダクト体の配線空間から配線コードを引出すためのコード挿通孔を穿設するとともに、当該各コード挿通孔を開閉するための蓋体を配設したものである。
【００１０】
請求項４の発明は、請求項１〜請求項３のうちいずれかに記載のパネル装置における配線構造において、前記背面パネル装置及び前記間仕切パネル装置は、前記本体ケースよりも高さを高く形成したものである。
【００１１】
さらに、請求項５の発明は、請求項１〜請求項４のうちいずれかに記載のパネル装置における配線構造において、前記背面パネル装置の前面には、前記本体ケースより高い位置に配線コード引出し部またはコンセントのいずれか一方もしくは双方を備えたものである。
【００１２】
【発明の実施の形態】
次に、本発明を具体化した実施形態を図面に基づいて説明する。図１〜図６は本発明の第１実施形態を示し、図１は、家具としての高さの低いキャビネットの本体ケース１の背面に配線ダクト体１２を連結し、さらにその裏面に中空状の背面パネル装置４０を連結し、該背面パネル装置４０の左右両側には、中実状の間仕切パネル装置５０を連結した斜視図、図２は各部品の分解斜視図、図３は縦長の配線ダクト体１２の分解斜視図、図４は配線ダクト体１２の縦断面図、図５は背面パネル装置４０の縦断面図、図６は図１のVI−VI線矢視の断面図、図７は間仕切パネル装置の縦断面図である。キャビネットの本体ケース１は、左右側板１ａと、背面板１ｂと背面板、上面板とからなり、中空状のベース２に載置されている。ベース２の左右両側面及び背面には配線コードの挿通孔６が穿設されている。各キャビネットの本体ケース１には前面側に開閉扉３が上下複数段に配置されている。本体ケース１の上面板に固定する木製等の天板４上にプリンタ等のＯＡ機器５を載せるように構成されている。
【００１３】
キャビネットの本体ケース１の背面板１ｂに沿わせて立設連結する縦長の配線ダクト体１２は、図２〜図４に示すように、略矩形状の中央部孔１４が穿設された前後側板１３ａ，１３ｂを、前記中央部孔１４の箇所で四角枠状の内周連結板１５にて溶接連結し、且つ前記前後側板１３ａ，１３ｂの下端間を下部連結板１６にて溶接接続すると共に、前後側板１３ａ，１３ｂの左右両側外側を側板１７ａ，１７ｂ  にて溶接接続させた上方開放の板金製の枠体からなる。前記前後側板１３ａ，１３ｂにおける開放された上方縁を若干内向きに折曲して上縁片１８ａ、１８ａを形成し、着脱自在な上面カバー板２０の下面に突設したガイド部２１が両縁片１８ａに沿いガタつかないように構成されており、上面カバー板２０には配線を引き出すための配線孔２２が穿設されている。なお、不使用の場合、配線孔２２を図示しないキャップにて覆うように構成されている。
【００１４】
配線ダクト体１２における前記前後側板１３ａ，１３ｂの間の外周のダクト部は、左右辺の縦ダクト部１９ａ、１９ｂと、上部辺の左右長手の上横ダクト部１９ｃと、下部辺左右長手の下横ダクト部１９ｄとが環状に連通していることになる（図４参照）。図１及び図２に示すように、前記上横ダクト部１９ｃの上側を着脱自在に覆うための上面カバー板２０の上面と前記天板４の上面とが略同一平面状となるように揃え、上面カバー板２０と天板４の側縁とが当接して隙間のないように並べられることが好ましい。
【００１５】
前記配線ダクト体１２はその一方の側板（実施形態では前側板１３ａ）とキャビネットの本体ケース１の背面板１ｂとをビス（ネジ）（図示せず）にて固定する。配線ダクト体１２における他方の側板（実施形態では後側板１３ｂの外面と前記中央孔１４の部分）を、後述する背面パネル装置４０にて覆うように連結する。
【００１６】
配線ダクト体１２における前記左右両側の縦ダクト部１９ａ、１９ｂの下端部は前記前後側板１３ａ，１３ｂを切欠きして連通部２３が形成されている（図３及び図４参照）。また、下部連結板１６にはアジャスタボルト２４を備えてることが好ましい。前記左右両側の縦ダクト部１９ａ、１９ｂにおける上端部には、上向きに開放されたコード挿通孔２５が各々形成され、該コード挿通孔２５のＵ字状の縁に沿って合成樹脂製の縁部材２６が取付けられている。そして、縦ダクト部１９ａ、１９ｂの裏面（内面）には、左右両側の縦ガイドレール２７ａを備えた補強体２７がスポット溶接にて固着されている。前記縁部材２６に嵌合可能であって、該縁部材２６の内径側と前記上面カバー板２０の下面とで囲まれた開口部を覆うことができる合成樹脂製の上部蓋体２８の裏面左右両側には、図９（ａ）及び図９（ｂ）に示すごとく、板状の上下一対のバネ体２９、２９が一体的に設けられ、作業者が上部蓋体２８を前記縁部材２６より奥側に押圧すると、バネ体２９、２９が撓む。この押圧状態のまま、上部蓋体２８を下方に押し下げると縁部材２６の内径側と前記上面カバー板２０の下面とで囲まれた開口部が大きく開くことになる。そして、上部蓋体２８を一定程度押し下げると、下側におけるバネ体２９の足（自由端部）が縦ガイドレール２７ａに穿設された係止孔３０ａ（図８参照）に嵌まって、それ以上の下降動は阻止できる。前記開口部を塞ぐときには、前記と逆にバネ体２９を押した状態のまま上部蓋体２８を引き上げてから手を離すと、バネ体２９の押圧力により、上部蓋体２８が縁部材２６の内径側にすっぽりと嵌まる。この状態のときも上側のバネ体２９の足（自由端部）が縦ガイドレール２７ａに穿設された係止孔３０ｂ（図９（ａ）参照）に嵌まって、それ以上の上昇動は阻止できる。
【００１７】
他方、前記左右両側の縦ダクト部１９ａ、１９ｂにおける下端部には、前記連通部２３に連通する下向きに開放されたコード挿通孔３１が形成され、縦ダクト部１９ａ、１９ｂの裏面（内面）には、図１０に示すように、左右両側に断面Ｌ字状のガイド溝３３が一体的に形成された補強板３２がスポット溶接されている。なお、各ガイド溝３３の下端にはストッパー片３４が折曲形成されている。補強板３２及び左右両側のガイド溝３３、３３に沿って上下動可能な下部蓋体３６は、その左右両側に上半部のみ断面Ｌ字状のガイド部３５ａ，３５ａが形成され、この各ガイド部３５ａが前記ガイド溝３３内に沿って上下移動可能であるが、左右両ガイド部３５ａ、３５ａの下端縁がストッパー片３４、３４に当接すると、それ以上の下部蓋体３６の落下が阻止されるようになっている。
【００１８】
次に、背面パネル装置４０の構成について説明すると、図２、図５及び図６に示すように、左右両側の断面コ字状の支柱４１、４１と、両支柱４１、４１の裏面に図示しない係止爪を介して着脱自在に係止する上下の裏パネル板４２ａ，４２ｂと、配線ダクト体１２の上端より上方で、両支柱４１、４１の表面側に図示しない係止爪を介して着脱自在に係止する表パネル板４３と、前記下の裏パネル板４２ｂの下端に連接し、床面との間を着脱自在に覆う背面パネル用巾木４４とにより構成されている。背面パネル用巾木４４の両端部に設けた係止爪４５は、前記両支柱４１、４１の裏面に穿設された係止溝に嵌まる。そして、前記左右両支柱４１、４１は図５に示すようにネジ４６や係止爪４７を介して配線ダクト体１２の裏面に連結されている。従って、配線ダクト体１２の背面と、左右両側の支柱４１、４１と裏パネル板４２ａ，４２ｂ、表パネル板４３とで囲まれるように配線空間４８ａが配線ダクト体１２に連接して形成される。なお、左右両支柱４１、４１は床面に当接せず、且つ配線コードが背面パネル用巾木４４と配線ダクト体１２の裏面との横長の配線空間４８ｂと連通するよう切欠き部４１ａを有する。背面パネル用巾木４４の下端の略水平な横板４４ａは、配線コード１０を支持できる構成である（図５参照）。背面パネル装置４０の上端は着脱自在な笠木４９にて覆われている。
【００１９】
前記配線空間４８ｂはその上方の前記配線空間４８ａとも連通するし、配線ダクト体１２における左右両側の下端部の切欠き状の連通部２３にも連通でき配線コード１０を挿通できる構成である。
【００２０】
前記背面パネル装置４０に連結する中実状の間仕切パネル装置５０は、図６及び図７に示すように、芯材としてのハニカム体５１の表裏両面にパネル板５２、５２が貼着されており、そのハニカム体５１の左右両側端の金属製縦長の補強体５３の上下部位には下向き係止爪体５４がネジ５５止めされている。間仕切パネル装置５０を背面パネル装置４０に連結するに際しては、下端にアジャスタボルトを有する間柱５６を立設し、間柱５６の一側を背面パネル装置４０の支柱４１にネジ止めするか、コーナの場合、同じく下端にアジャスタボルトを有するコーナ柱５７の一方から突出する係止爪体５８にて支柱４１に引っ掛けて連結する（図６参照）。
【００２１】
そして、間仕切パネル装置５０における表裏両パネル板５２の下端と床面との間は、着脱自在な間仕切パネル用巾木６０を装着する。従って、表裏両間仕切パネル用巾木６０、６０の間の空間（配線空間６１）は、前記背面パネル装置４０の背面の下端の背面パネル用巾木４４と配線ダクト体１２の裏面との間の横長の配線空間４８ｂと連通することになる。間仕切パネル装置５０の上端も着脱自在な笠木６２にて覆われている。
【００２２】
なお、背面パネル装置４０における表パネル板４３には、コンセント（配線接続口）や配線挿通孔等を備えた配線引き出し口６３（図１参照）を備えても良い。
【００２３】
上記実施形態においては、事務室内の仕切りとして、本体ケース１の背面に配線ダクト体１２を取付け、その背面に、本体ケース１及び配線ダクト体１２より背丈の高い背面パネル装置４０を装着し、さらに、背面パネル装置４０の間口方向（幅方向）には同じ高さもしくは高さの異なる間仕切パネル装置５０を連結すれば、事務室の中央部等を任意に間仕切することができて、通路と作業部とを区切り、且つ両者間の目線を遮ることができる。そして、本体ケース１及び配線ダクト体１２の上面に載置したＯＡ機器５への配線は、配線ダクト体１２の上面カバー板２０の配線孔２２もしくは背面パネル装置４０における配線引き出し口６３から配線ダクト体１２内及び背面パネル装置４０内の配線空間１９ａ〜１９ｄ、４８ａ、４８ｂを介して床面（二重床を含む）方向に導き、且つ配線コード１０の余長部を前記配線空間に収納できて外観が向上する。また、前記ＯＡ機器５への配線作業は、中空状である背面パネル装置４０の裏パネル板４２ａ，４２ｂ及び背面パネル用巾木４４を取り外すことで簡単にできる。さらに、床面からの配線コード１０の立ち上げ箇所を前記背面パネル用巾木４４と本体ケース１の裏面との間は、床面（二重床を含む）との上下方向の隙間空間や配線空間４８ｂとなるので、その間であれば、配線コード１０の立ち上げ箇所を任意の位置選択できる。間仕切パネル装置５０における着脱自在な表裏の間仕切パネル用巾木６０、６０の間の空間も横長の配線通路となるので、配線作業も容易となる。
【００２４】
図１１は、前記本体ケース１の裏面に配線ダクト体１２を介在させることなく、中空状の背面パネル装置４０を装着し、その背面パネル装置４０の端部を中実状の間仕切パネル装置５０に連結させた場合であって、本体ケース１、背面パネル装置４０及び間仕切パネル装置５０の構成は、前記図２、図５〜図７に示すように、前記実施形態と同じであるので、同じ構成については同じ符号を付して詳細な説明は省略する。そして、図１１の構成であっても、本体ケース１の背面により背丈の高い背面パネル装置４０を装着し、さらに、背面パネル装置４０の間口方向（幅方向）には同じ高さもしくは高さの異なる間仕切パネル装置５０を連結すれば、事務室の中央部等を任意に間仕切することができて、通路と作業部とを区切り、且つ両者間の目線を遮ることができる。そして、キャビネットの本体ケース１の上面に載置したＯＡ機器５への配線は、背面パネル装置４０における配線引き出し口６３から背面パネル装置４０内の配線空間４８ａ、４８ｂを介して床面（二重床を含む）方向に導き、且つ配線コード１０の余長部を前記配線空間に収納できて外観が向上する。また、前記ＯＡ機器５への配線作業は、中空状である背面パネル装置４０の裏パネル板４２ａ，４２ｂ及び背面パネル用巾木４４を取り外すことで簡単にできる。さらに、床面（二重床を含む）からの配線コード１０の立ち上げ箇所を前記背面パネル用巾木４４と本体ケース１の裏面との間は、床面との上下方向の隙間空間や配線空間４８ｂとなるので、その間であれば、配線コード１０の立ち上げ箇所を任意の位置選択できる。間仕切パネル装置５０における着脱自在な表裏の間仕切パネル用巾木６０、６０の間の空間も横長の配線通路となるので、配線作業も容易となるのである。
【００２５】
前記各実施形態において、間仕切パネル装置５０を表裏パネル板５２、５２の間にハニカム体５１等を介在させた中実状としたが、前記ハニカム体５１等を介在させていない中空状に形成しても良く、その場合には、間仕切パネル装置５０における前記表裏パネル板５２、５２で挟まれた空間も配線空間とすることができることはいうまでもなく、間仕切パネル装置５０が中実状であるか中空状であるかは本発明の本質に影響を与えないものである。また、前記背面パネル装置４０の前方に配置されるキャビネットに連接して他のキャビネットを間仕切パネル装置５０の前方に配置するレイアウトを採用することも本発明の実施形態の一つである。
【００２６】
図１２、図１３（ａ）〜図１３（ｃ）は、キャビネットの本体ケース１における開閉扉３に対するキー７０の収納手段の構成であって、合成樹脂製の収納体７１は、縦長でその縦の一側が開放された箱状であり、開放面７２の外周にフランジ部７３を有し、開閉扉３の裏面の折り返し板３ａに穿設した矩形状の取付孔７４にフランジ部７３の裏面を当接させて収納体７１を嵌め込み外面の係合爪７７との間で折り返し板３ａ抜け不能に係止できる構成である。収納体７１の下端には、キー７０のキー溝差し込み部７０ａのみが嵌合できる落とし孔７５が穿設され、該落とし孔７５より外側には下向きに突出する案内片７６が一体的に突出している。このような構成により、開放面７２からキー７０のキー溝差し込み部７０ａを収納体７１における落とし孔７５に差し込むと、当該キー７０の握り部７０ｂは収納体７１内に引っ掛かり、且つ、キー溝差し込み部７０ａは、収納体７１下端側の折り返し板３ａの裏面と案内片７６との間にてキー７０が略垂直状態を保持できて脱落しないのであり、キーの不使用時にも本体ケース１に配置できるから、本体ケース１から離れた他の場所でのキー７０の保管のように紛失し難いし、キーを探す手間も省けるという効果を奏する。
【００２７】
【発明の作用・効果】
上述したように、請求項１の発明におけるパネル装置の配線構造は、キャビネット等の本体ケースの背面に連結した中空状の背面パネル装置における左右両側面のうちいずれか一方または両方に、間仕切パネル装置を連設してなるパネル装置であって、前記背面パネル装置は、前記本体ケースの背面に連結する左右一対の支柱と、該一対の支柱間の前面側であって前記本体ケースの天板より上方を覆うように前記一対の支柱に対して着脱自在な表パネル板と、前記一対の支柱間の背面側を覆うように前記一対の支柱に対して着脱自在な裏パネル板とにより構成され、前記背面パネル装置の背面側の下端部には、背面パネル用巾木を着脱自在に装着し、前記本体ケースの背面と、前記背面パネル装置内と、前記背面パネル用巾木とで囲まれる空間を配線空間に形成する一方、前記間仕切パネル装置の下端部には、表裏一対の間仕切パネル用巾木を着脱自在に装着して、前記配線空間と前記表裏一対の間仕切パネル用巾木との間に配線通路を形成したものであるから、キャビネットの上面に載置したＯＡ機器への配線は、背面パネル装置から背面パネル装置内の配線空間を介して床面（二重床を含む）方向に導き、且つ配線コードの余長部を前記配線空間に収納できて外観が向上する。また、前記ＯＡ機器への配線作業は、中空状である背面パネル装置の裏パネル板及び背面パネル用巾木を取り外すことで簡単にできる。さらに、床面からの配線コードの立ち上げ箇所を前記背面パネル用巾木と家具の本体ケースの裏面との間は、床面との上下方向の隙間空間や配線空間となるので、その間で、配線コードの立ち上げ箇所を任意の位置選択できる。間仕切パネル装置における着脱自在な表裏の間仕切パネル用巾木の間の空間も横長の配線通路となるので、配線作業も容易となるという効果を奏する。
【００２８】
また、請求項２に記載の発明のパネル装置の配線構造は、キャビネット等の本体ケースの背面に取り付く枠状の配線ダクトの背面に、中空状の背面パネル装置を連結し、該背面パネル装置における左右両側面のうちいずれか一方または両方に、間仕切パネル装置を連設してなるパネル装置であって、前記本体ケースにおける天板と、前記配線ダクトにおける上面カバー板とを略同一平面状となるように揃え、前記背面パネル装置は、前記配線ダクトの背面に連結する左右一対の支柱と、該一対の支柱間の前面側であって前記配線ダクトにおける上面カバー板より上方を覆うように前記一対の支柱に対して着脱自在な表パネル板と、前記一対の支柱間の背面側を覆うように前記一対の支柱に対して着脱自在な裏パネル板とにより構成され、前記背面パネル装置の背面側の下端部には、背面パネル用巾木を着脱自在に装着し、前記本体ケースの背面と、前記配線ダクトと、前記背面パネル装置内と、前記背面パネル用巾木とで囲まれる空間を配線空間に形成する一方、前記間仕切パネル装置の下端部には、表裏一対の間仕切パネル用巾木を着脱自在に装着し、前記配線空間と前記表裏一対の間仕切パネル用巾木との間に配線通路を形成したものであるから、本体ケース及び配線ダクト体の上面に載置したＯＡ機器への配線は、配線ダクト体からもしくは背面パネル装置から配線ダクト体内及び背面パネル装置内の配線空間を介して床面方向に導き、且つ配線コードの余長部を前記配線空間に収納できて外観が向上する。また、家具の本体ケースの背面側の配線空間が、配線ダクト体が有する空間分だけ大きくなり、太い配線コードや多数の配線コードを収納できる。
【００２９】
また、前記ＯＡ機器への配線作業は、中空状である背面パネル装置の裏パネル板及び背面パネル用巾木を取り外すことで簡単にできる。さらに、床面からの配線コードの立ち上げ箇所を前記背面パネル用巾木と本体ケースの裏面との間は、床面との上下方向の隙間空間や配線空間となるので、その間で、配線コードの立ち上げ箇所を任意の位置選択できる。間仕切パネル装置における着脱自在な表裏の間仕切パネル用巾木の間の空間も横長の配線通路となるので、配線作業も容易となるという効果を奏する。
【００３０】
そして、請求項３の発明は、請求項２に記載のパネル装置における配線構造において、前記配線ダクト体における左右両側板の上端部及び下端部には、この配線ダクト体の配線空間から配線コードを引出すためのコード挿通孔を穿設するとともに、当該各コード挿通孔を開閉するための蓋体を配設したものであるので、配線ダクト体からの配線コードの引き出し作業が一層効率良く行えるという効果を奏する。
【００３１】
請求項４の発明は、請求項１〜請求項３のうちいずれかに記載のパネル装置における配線構造において、前記背面パネル装置及び前記間仕切パネル装置は、前記本体ケースよりも高さを高く形成したものであるので、請求項１〜請求項３のうちいずれかに記載の発明による効果に加えて、本体ケースの背面により背丈の高い背面パネル装置を装着し、さらに、背面パネル装置の間口方向（幅方向）には同じ高さもしくは高さの異なる間仕切パネル装置を連結すれば、事務室の中央部等を任意に間仕切することができて、通路と作業部とを区切り、且つ両者間の目線を遮ることができるという効果も奏する。
【００３２】
さらに、請求項５の発明は、請求項１〜請求項４のうちいずれかに記載のパネル装置における配線構造において、前記背面パネル装置の前面には、前記本体ケースより高い位置に配線コード引出し部またはコンセントのいずれか一方もしくは双方を備えたものであるので、キャビネット等の家具の本体ケースの上方への配線コードの引き出し作業が至極容易にできると言う効果を奏する。
【図面の簡単な説明】
【図１】  本発明の第１実施形態のキャビネットにおける配線構造の斜視図である。
【図２】  配線構造の分解斜視図である。
【図３】  配線ダクト体の一部切欠き斜視図である。
【図４】  配線ダクト体の縦断面図である。
【図５】  図１のＶ−Ｖ線矢視断面図である。
【図６】  図１のVI−VI線矢視断面図である。
【図７】  間仕切パネルの縦断面図である。
【図８】  配線ダクト体における上部蓋体の正面図である。
【図９】  （ａ）は側断面図、（ｂ）は図９（ａ）におけるIXb −IXb 矢視断面図である。
【図１０】  配線ダクト体における下部蓋体等の斜視図である。
【図１１】  第２実施形態の側断面図である。
【図１２】  キー収納体の斜視図である。
【図１３】  （ａ）はキー収納体の正面図、（ｂ）は一部切欠き側面図、（ｃ）は図１３（ｂ）におけるXIIIc −XIIIc 矢視断面図である。
【符号の説明】
１‥‥本体ケース
１ａ‥‥側板
１ｂ‥‥背面板
２‥‥ベース
３‥‥開閉扉
４‥‥天板
５‥‥ＯＡ機器
１２‥‥配線ダクト体
１３ａ，１３ｂ‥‥前後側板
１４‥‥中央部孔
１５‥‥内周連結板
１７ａ，１７ｂ‥‥左右側板
１９ａ，１９ｂ‥‥縦ダクト部
１９ｃ‥‥上横ダクト部
１９ｄ‥‥下横ダクト部
２０‥‥上面カバー板
２２‥‥配線孔
４０‥‥背面パネル装置
４１‥‥支柱
４２ａ，４２ｂ‥‥裏パネル板
４４‥‥背面パネル用巾木
５０‥‥間仕切パネル装置
６０‥‥間仕切パネル用巾木
【図１】
0003706299.tif 000002
【図２】
0003706299.tif 000003
【図３】
0003706299.tif 000004
【図４】
0003706299.tif 000005
【図５】
0003706299.tif 000006
【図６】
0003706299.tif 000007
【図７】
0003706299.tif 000008
【図８】
0003706299.tif 000009
【図９】
0003706299.tif 000010
【図１０】
0003706299.tif 000011
【図１１】
0003706299.tif 000012
【図１２】
0003706299.tif 000013
【図１３】
0003706299.tif 000014